(57)【特許請求の範囲】
【請求項１】
魚礁を構成する枠体に平面的な広がりを有する基質を設けてなる漁礁に於いて、前記基質の下面側に上面側に凹む傾斜を設け、前記上面側に凹む傾斜の頂部或いは頂部近傍に微細孔を設けて構成したことを特徴とした魚礁。
【請求項２】
前記微細孔が内径１〜５０ｍｍであり、該微細孔を基質に単数或いは複数個設けたことを特徴とした請求項１に記載した魚礁。
【請求項３】
前記微細孔は基質面積に対する孔断面積が０．００２〜５％であることを特徴とした請求項１又は２に記載した魚礁。
【発明の詳細な説明】
【０００１】
【発明の属する技術分野】
本発明は魚礁に係り、特にイカ類の産卵礁に用いたときに効果のあるものであって、魚礁の基質にカキ類やホヤ類の付着を防止可能とした魚礁に関するものである。
【０００２】
【従来の技術】
従来の技術は、一般的にイカ類が天然海域の岩棚下面で産卵をする習性を利用し、人工的な岩棚としての魚礁を構成したものである。この従来の技術は、水平状の広がりを下面に有するイカ類の産卵用の基質と、その基質の下部に設けられた脚体或いは枠体等から構成された魚礁である。また、産卵用の基質は、１枚のみでなく、複数枚が所定の間隔を保って重ねられて構成された魚礁も知られている。
【０００３】
【発明が解決しようとする課題】
然るに、前述の従来の魚礁は、これに使用される基質として単なる平板状のものが一般的に使用されていたが、このように構成された魚礁を海中に長年設置しておくと、付着物、特にホヤ類が基質の下面に付着し、特にイカ類の産卵が不可能になる問題があった。また、天然の岩棚は下面に凹凸があるために、イカ類の産卵環境を良くしているのに対し、従来の平板状の魚礁は、この点で天然の岩棚よりも劣る問題があった。
【０００４】
本発明は前述の従来のこれ等の多くの問題点に鑑み開発された全く新しい技術であって、人工魚礁の基質を例えばイカ類の産卵習性に適合させた複雑な形状に構成することを可能とした技術を提供するものである。
【０００５】
更に、本発明に於いては、魚礁用の基質を特定の構造に構成することによって、ホヤ類等の付着物が該基質に付着することを防止し、これによって例えばイカ類の産卵が長年に亘って良好に行なわれるようにした全く新しい構造の魚礁の技術を提供するものである。
【０００６】
【課題を解決するための手段】
本発明に係る魚礁は、前述の従来の問題点を根本的に改善した全く新しい技術であって、その第１発明の要旨は、魚礁を構成する枠体に平面的な広がりを有する基質を設けてなる漁礁に於いて、前記基質の下面側に上面側に凹む傾斜を設け、前記上面側に凹む傾斜の頂部或いは頂部近傍に微細孔を設けて構成したことを特徴とした魚礁である。
【０００７】
本発明の魚礁の第２発明の要旨は、前記微細孔が内径１〜５０ｍｍであり、該微細孔を基質に単数或いは複数個設けたことを特徴とした第１発明の魚礁である。また、第３発明の要旨は、前記微細孔は基質面積に対する孔断面積が０．００２〜５％であることを特徴とした第１発明又は第２発明の魚礁である。
【０００８】
本件発明者は長年に亘って、イカ類、ホヤ類、カキ類等の魚の生態について研究して来た結果、これ等のイカ類、ホヤ類、カキ類の魚は、いずれも岩棚の下面に産卵をする習性にはあるが、光の関係に於いて産卵及びこれ等幼生が成育する状況が異なることを発見した。
【０００９】
即ち、例えばホヤ類の卵は受精後幼生になり、ふ化して泳ぎだし、泳ぎだしてから幼生の先端にある付着突起で岩等に付着して徐々に生長する。この時ふ遊幼生は、光の方向を認識することが出来、明るさの減少には敏感に反応し、暗部には付着するものの、明るい所には付着しない性質を持っていることが明らかとなった。ホヤ類が岩陰などに多く見られるのはこのためである。
【００１０】
これに対して、イカ類の成体は光の方向をそれ程敏感に認識して反応することがなく、小さな岩棚で比較的明るい場所でも産卵して卵を生み付けることが明らかとなった。従って、イカ類の産卵用基質の選択は、光に対してよりも、むしろイカ類の産卵を可能とする下面があることが重要であり、更に、その産卵基質の下面に凹凸等の傾斜面があることが、より好ましいことも判明した。
【００１１】
本発明者は、これ等の発見を基礎として、前述の魚礁の第１発明のように、産卵魚礁の産卵用基質に微細孔を設けて構成した処、微細孔より光が産卵用基質の下面に拡散されると、光が入って来る産卵用基質の下面にはイカ類は産卵するが、ホヤ類等が付着したり或いは産卵することは見られなかった。従って、このような条件を人工的に作ることによって、イカ類の産卵が長年に亘って良好に行われる環境を維持することが出来ることを確認した。
【００１２】
更に、産卵魚礁の産卵用基質の下面に入光をさせるためには、内径の大きな孔やスリットを穿設したり、或いは産卵用基質を格子状の金網等で構成することも考えられるが、本件発明者が種々の実験を重ねた結果、産卵用基質の下面に入光する光の量は微量であっても有効的であることが判明した。
【００１３】
従って、前述のように産卵用基質に大きな孔やスリットを穿設したり、産卵用基質を格子状の金網で構成する場合には加工が煩雑であり、かつ産卵用基質の強度等に問題があるが、前述の魚礁の第１発明のように、産卵用基質に微細孔を設ける場合は加工が極めて簡単であると共に、産卵用基質の強度も充分に維持することが出来る。更にイカ類に於いても、光の量が少ない方が産卵及び幼生の成育に効果的である。
【００１４】
【発明の実施の形態】
図により本発明をイカ類の産卵礁に用いた場合の魚礁及びその基質について説明すると、図１は本発明に係るイカ類の産卵魚礁の斜視説明図、図２は図１のイカ類の産卵魚礁に取付けられた産卵用基質の下面説明図、図３は図２の産卵用基質の要部の断面拡大説明図、図４は他の第１例の魚礁の斜視説明図である。
【００１５】
図１乃至図３に於いて、１は本発明に係るイカ類の産卵魚礁であって、コンクリート製枠体２とこの枠体２の上部に取付けられた平面的に広がる産卵用基質３とより構成されている。この産卵用基質３はボルト（図示せず）等を介して枠体２の上部に取付固定されている。
【００１６】
前記産卵用基質３はガラス繊維或いは高弾性係数の繊維で補強した合成樹脂（ＦＲＰ）で形成されている。この産卵用基質３の下面には、左右各３個、合計９個の４角錐状に傾斜した凸部４が突出した状態で設けられており、そして各凸部の頂部には夫々微細孔５が貫通孔となって穿設されている。
【００１７】
前記産卵用基質３の肉厚は約４〜１０ｍｍ、その全体の巾は約９００〜１５００ｍｍ、前記凸部４によって形成される各部屋の空間の巾は約３００〜５００ｍｍである。また、凸部４の頂部に穿設される微細孔５の内径は約１〜１００ｍｍである。更に、前記凸部４によって形成される各部屋の深さは約１００〜５００ｍｍであり、かつ凸部４の傾斜角度は約１０〜５０°である。各凸部４の頂部或いはその頂部近傍に設けられる微細孔５の数は約１〜５個であり、産卵用基質３に対する孔断面積は０．００２〜５％である。
【００１８】
前記枠体２はコンクリートのみならず、鋼材、樹脂を表面にライニングした鋼板類を用いることが出来る。産卵用基質３はボルト等を介して前枠体２に簡単に取付け固定することが出来る。また、枠体２の中に産卵用基質３を一体的に埋め込んで構成することも可能である。更に一個の枠体２の中に複数個の産卵用基質３を相互に所定の間隔を保ちながら段状に取付けた魚礁１を構成することも可能である。
【００１９】
上記実施例に於いては、産卵用基質３に４角錐形の凸部４を設けたが、他の角錐、円錐、ドーム、載頭、波、鋸歯等の形状を持った凸部４でも良い。また、産卵用基質３に設ける凸部４によって形成される部屋の数も自由に変えることが出来る。しかし、凸部４によって形成される部屋にイカ類が侵入して産卵し易くするためには部屋の内径が約３００〜５００ｍｍであることが好ましい。
【００２０】
前述のように、産卵用基質３の凸部４の頂部に微細孔５を設けた場合には、この微細孔５の口径が小さいものであっても、この微細孔５より産卵用基質３の裏面に侵入した光が産卵用基質３の下面に形成された各部屋内で拡散し、各部屋の壁面に光を照射することが出来る。従って、このような凸部４の頂部に微細孔５を設ける場合には１個で良く、頂部の近傍に設けるような場合に或いは産卵用基質３が平板状であるような場合には、その下面に入光する光の量に応じて、この微細孔５の数を増加することが出来る。孔径の好ましい大きさは５〜２０ｍｍである。
【００２１】
上記実施例に於いては、枠体２に単数の産卵用基質３を取付けた魚礁の構造について説明したが、図４に示す如く、複数の産卵用基質３を上下に並列して構成した魚礁７も有効である。この魚礁７は、大中小の枠体２ａ，２ｂ，２ｃの夫々上部に複数の産卵用基質３を取付け、かつ各枠体２ａ，２ｂ，２ｃを順に積層して一体的に固定したものである。
【００２２】
これ等の各枠体２ａ，２ｂ，２ｃは４隅に脚が下広がり状に設けられて構成されているので、これ等を順に積層した場合にも、また、海底に設置した場合にも安定させることが出来る。更に、各枠体２ａ，２ｂ，２ｃの４隅に下広がり状の脚を設けることによって、各枠体２ａ，２ｂ，２ｃの隙間にイカ類等の魚が遊泳し易くし、かつ適量の光が入光出来る。しかも、各枠体２ａ，２ｂ，２ｃの隙間に海流が流入し易く、魚礁７の下部に土砂等が滞積することも防止出来る。
【００２３】
基質と枠体は別体でも一体ものでもいい。例えば共にコンクリート製の場合は一体に製作した方が効率的である。また、基質だけを岩場などに放置（載置）するだけでもその効果がある。また、岩とか浮遊物に基質をぶら下げててもいい。更に網との併用をしてもいい。
【００２４】
〔実施例１〕図１乃至図３に示すようなイカ類の産卵魚礁のように、４角錐形の凸部４を９個有し、かつ各凸部４の頂部のみに１個の内径１０ｍｍの微細孔５を設けた産卵用基質３を、枠体２に取付けて魚礁１を製作した。そしてこの魚礁１を水深２０ｍの所に設置し、１年間経過した後で引き揚げて観察した。その結果、イカ類の産卵は多量に観察することは出来たが、その他のホヤ類、カキ類等の産卵や付着は見られなかった。
【００２５】
【発明の効果】
本発明をイカ類の産卵礁に用いたときの魚礁は、前述のような構造と作用とを有するので、次のような多大な効果を有している。
【００２６】
（１）本発明に於いては、前述の如く、イカ類の産卵魚礁の平面的広がりを有する産卵用基質の所定位置に微細孔を設けので、この産卵用基質の下面に所定量の光を取り入れることが出来、これによってイカ類以外のホヤ類等が産卵用基質の下面に産卵したり或いは付着することを防止出来る。（２）前記産卵用基質の下面に傾斜面を設けた場合には、イカ類の産卵をより効果的に促進させることが出来る。
【００２７】
（３）産卵用基質の下面に傾斜面を形成した場合には、その傾斜面の頂部或いは頂部近傍に微細孔を設けることが出来、これによって産卵用基質の下面に光を拡散させながら効率良く取り入れることが出来る。（４）産卵用基質に所定の内径を有する微細孔を単数或いは複数設ける加工は極めて容易であり、かつ産卵用基質の強度を損ねることがなく、産卵用基質の下面に一定量の光を確実に取り入れることが出来る。
【００２８】
（５）産卵用基質に設けられる孔の形状は必要に応じて自在に変えることが出来、かつその孔断面積の基質面積に対する比率を一定にすることによって、入光量を一定にしかつ産卵用基質の強度を維持することが出来る。（６）産卵用基質に設ける凸部は種々の形状を選択することが出来、かつ凸部によって形成される部屋の面積及び深さを一定にすることによって、イカ類の産卵環境を著しく改善することが出来る。
【図面の簡単な説明】
【図１】  イカ類の産卵魚礁の斜視説明図である。
【図２】  図１のイカ類の産卵魚礁に取付けられた産卵用基質の下面説明図である。
【図３】  図２の産卵魚礁及びその基質の要部の拡大説明図である。
【図４】  他の第１例の魚礁の斜視説明図である。
【符号の説明】
１                  イカ類の産卵魚礁
２                  枠体
2a,2b,2c            枠体
３                  産卵用基質
４                  凸部
５                  微細孔
７                  魚礁
【図１】
0003948769.tif 000002
【図２】
0003948769.tif 000003
【図３】
0003948769.tif 000004
【図４】
0003948769.tif 000005